(57)【要約】【課題】太い上腕と細い上腕のいずれであっても、装着性が良好で安定した阻血を行うことができる圧迫体を提供する。【解決手段】空気袋２と保持板３外布４とリング５と面ファスナ８を備えた圧迫体１である。面ファスナ８は、フック部８ａとループ部８ｂ部とが同一面に略均等な面積比で混在して設けられ、この面ファスナ８は、外布４の最大想定内径Ｄ１と最小想定内径Ｄ２との範囲内で、リング５の折り返し部分の近傍で係止可能な長さＬ３に設定されている。【選択図】図２
2010279470.tif 000002
【特許請求の範囲】
【請求項１】
膨張・収縮自在な阻血用の空気袋と、この空気袋の外周側に配置され、円弧状に湾曲するとともに弾性を有する保持板と、これら空気袋および保持板を包む外布と、前記保持板に固定され、外布の一端側を折り返すためのリングと、このリングで折り返した外布の折り返し部を剥離可能に係止する面ファスナを備えた圧迫体であって、
前記面ファスナは、フック部とループ部とが同一面に略均等な面積比で混在して設けられ、この面ファスナは、外布の最大想定内径と最小想定内径との範囲内で、前記リングの折り返し部分の近傍で係止可能な長さに設定されていることを特徴とする圧迫体。
【請求項２】
前記面ファスナのフック部とループ部は、外布の幅方向に対して斜め状態で、外布の長さ方向に交互に配置されていることを特徴とする請求項１に記載の圧迫体。
【発明の詳細な説明】
【技術分野】
【０００１】
本発明は、血圧測定時に人体の腕や手首に巻き付けて阻血するための圧迫体に関する。
【背景技術】
【０００２】
血圧測定に用いられる圧迫体は、人体の上腕あるいは手首に巻き付けて装着した後、内部の空気袋を膨張させることで動脈を圧迫して阻血を行うものである。
【０００３】
このような圧迫体としては、図４（ａ）に示すように、膨張・収縮自在な阻血用の空気袋２と、この空気袋２の外周側に配置され、円弧状に湾曲するとともに弾性を有する保持板３と、これら空気袋２および保持板３を包む外布４と、前記保持板３に固定され、外布４の引き出し部４ａを折り返すためのリング５と、このリング５で折り返した引き出し部４ａ同士を剥離可能に係止する面ファスナ６を備えたものがある（特許文献１参照）。
【０００４】
ここで、面ファスナ６とは、フック部６ａとループ部６ｂとが対をなして、両者を強く圧迫すると、フック部６ａとループ部６ｂとが相互に外れにくいように係止されるとともに、フック部６ａとループ部６ｂとを手で強く引き剥がすと、フック部６ａとループ部６ｂとの係止が外れるものをいい、メカニカルファスナとも呼ばれている。
【０００５】
そして、面ファスナ６のフック部６ａは、外布４の引き出し部４ａの先端側に長さＬ１で取付け、面ファスナ６のループ部６ｂは、外布４の引き出し部４ａの後端側に長さＬ２取付けている。
【０００６】
ところで、人体の上腕の場合、太い上腕と細い上腕とが存在し、太い上腕の場合には、図４（ａ）のように、外布４の最大想定内径Ｄ１が大きくなり（周長で約３４ｃｍ）、細い上腕の場合には、図４（ｂ）のように、外布４の最小想定内径Ｄ２が小さくなる（周長で約２０ｃｍ）。
【０００７】
そして、図４（ａ）のような太い上腕の場合には、面ファスナ６のフック部６ａは、リング５の折り返し部分の近傍でループ部６ｂに係止可能である。
【先行技術文献】
【特許文献】
【０００８】
【特許文献１】特開２００９−７７８２４号公報
【発明の概要】
【発明が解決しようとする課題】
【０００９】
しかしながら、図４（ｂ）のような細い上腕の場合には、外布４の引き出し部４ａを上腕に巻き付けながら、面ファスナ６のフック部６ａは、リング５の折り返し部分より遠く離れた部分でループ部６ｂに係止しなければならない。
【００１０】
そのために、フック部６ａの長さＬ１は短いが、ループ部６ｂの長さＬ２を長くする必要があり、これに伴って外布４の全長も長くなるので、細い上腕の人には、装着性が悪くなるという問題があった。
【００１１】
本発明は、前記問題を解消するためになされたもので、太い上腕と細い上腕のいずれであっても、装着性が良好で安定した阻血を行うことができる圧迫体を提供することを目的とするものである。
【課題を解決するための手段】
【００１２】
前記課題を解決するために、本発明は、膨張・収縮自在な阻血用の空気袋と、この空気袋の外周側に配置され、円弧状に湾曲するとともに弾性を有する保持板と、これら空気袋および保持板を包む外布と、前記保持板に固定され、外布の一端側を折り返すためのリングと、このリングで折り返した外布の折り返し部を剥離可能に係止する面ファスナを備えた圧迫体であって、前記面ファスナは、フック部とループ部とが同一面に略均等な面積比で混在して設けられ、この面ファスナは、外布の最大想定内径と最小想定内径との範囲内で、前記リングの折り返し部分の近傍で係止可能な長さに設定されていることを特徴とする圧迫体を提供するものである。
【００１３】
請求項２のように、請求項１において、前記面ファスナのフック部とループ部は、外布の幅方向に対して斜め状態で、外布の長さ方向に交互に配置されている構成とすることができる。
【発明の効果】
【００１４】
本発明によれば、面ファスナとして、フック部とループ部とを同一面に混在して設けたものを用いて、外布の最大想定内径と最小想定内径との範囲内で、リングの折り返し部分の近傍で係止可能な長さに設定している。したがって、太い上腕と細い上腕のいずれであっても、面ファスナは、リングの折り返し部分の近傍であればどの位置でも係止可能であるから、リングの折り返し部分より遠く離れた部分で係止する必要がなくなる。このため、特に細い上腕の人であっても装着性が良好になるので、安定した阻血を行うことができる。また、高価な面ファスナの長さが短くてすむので、安価なる。
【００１５】
請求項２によれば、既存のフック部とループ部の各シート体をそれぞれクロスカットして、交互に貼り付けるだけでよいので、安価になる。
【図面の簡単な説明】
【００１６】
【図１】本発明の圧迫体の斜視図である。
【図２】図１の圧迫体であり、（ａ）は太い腕に装着した断面図、（ｂ）は細い腕に装着した断面図である。
【図３】面ファスナであり、（ａ）は拡大斜視図、（ｂ）は変形例の平面図である。
【図４】従来の圧迫体であり、（ａ）は太い腕に装着した断面図、（ｂ）は細い腕に装着した断面図である。
【発明を実施するための形態】
【００１７】
以下、本発明を実施するための形態について、図面を参照しながら詳細に説明する。なお、背景技術と同一構成・作用の箇所は、同一番号を付して詳細な説明を省略する。
【００１８】
図１は圧迫体１であり、この圧迫体１は、人体の上腕（手首でも可）に挿入することで装着するものである。
【００１９】
図２（ａ）に断面を示すように、圧迫体１は、エアポンプ等から空気を供給することで膨張し、排気弁等で空気を排出することで収縮する阻血用の空気袋２と、この空気袋２の外周側に配置され、円弧状に湾曲するとともに弾性を有する保持板（Ｃ形クリップ）３とを備えている。この空気袋２および保持板３は、帯状の外布４内に包まれて収納されている。
【００２０】
保持板３の外周面側には、外布４を貫通するビス等で、幅方向に一対の取付けベース７が固定され、両取付けベース７に跨って、金属製の棒材を偏平楕円状に丸めたリング５が回動可能に支持されている。このリング５は、外布４の引き出し部４ａを折り返すためのものである。
【００２１】
このリング５で折り返される外布４の引き出し部４ａの外面には、引き出し部４ａ同士を剥離可能に係止する面ファスナ８が貼り付けられている。この面ファスナ８については、後で詳細に説明する。
【００２２】
この圧迫体１を上腕に装着する際は、圧迫体１をほぼ筒状の状態に保つ保持板３を弾性に抗して押し広げながら、手首側から上腕に挿入（差し込む）して、上腕の外周に圧迫体１を位置させる。その後、リング５の位置が手首側を上にした上腕の上面側となるように位置決めした後、リング５で折り返した外布４の引き出し部４ａを引っ張って弛みを無くした状態で、引き出し部４ａに設けた面ファスナ８を利用して固定する。
【００２３】
そして、周知のように、空気袋２に空気を供給して膨張させることで、上腕を通る動脈を圧迫して阻血し、その後、空気袋２から空気を徐々に排出して収縮させることで、血圧測定を行うものである。
【００２４】
前記面ファスナ８は、図３（ａ）に要部の拡大斜視図を示すように、フック部８ａとループ部８ｂとが同一面に略均等な面積比で、細かい間隔で混在して設けられている。
【００２５】
この面ファスナ８は、図２（ａ）のような太い上腕で、外布４の最大想定内径Ｄ１が大きい場合（周長で約３４ｃｍ）と、図２（ｂ）のような細い上腕で、外布４の最小想定内径Ｄ２が小さい場合（周長で約２０ｃｍ）の範囲内で、リング５の折り返し部分の近傍で係止可能な長さＬ３に設定されている。このリング５の折り返し部分の近傍で係止長さＬ４は、例えば３〜５ｃｍ程度が好ましい。
【００２６】
前記のような圧迫体１であれば、面ファスナ８として、フック部８ａとループ部８ｂとを同一面に混在して設けたものを用いて、外布４の最大想定内径Ｄ１と最小想定内径Ｄ２との範囲内で、リング５の折り返し部分の近傍で係止可能な長さＬ３に設定している。
【００２７】
したがって、太い上腕と細い上腕のいずれであっても、面ファスナ８は、リング５の折り返し部分の近傍であればどの位置でも係止可能であるから、リング５の折り返し部分より遠く離れた部分で係止する必要がなくなる。
【００２８】
このため、特に細い上腕の人であっても装着性が良好になるので、安定した阻血を行うことができる。また、高価な面ファスナ８の長さＬ３が短くてすむので（背景技術の長さＬ１＋Ｌ２の約１／２）、安価なる。
【００２９】
図３（ｂ）は、変形例の面ファスナ８である。面ファスナ８のフック部８ａとループ部８ｂは、外布４の幅方向に対して斜め状態で、外布４の長さ方向に交互に配置されている。
【００３０】
この変形例であれば、既存のフック部８ａとループ部８ｂの各シート体をそれぞれクロスカットして、交互に貼り付けるだけでよいので、安価になる。
【符号の説明】
【００３１】
１    圧迫体
２    空気袋
３    保持板
４    外布
４ａ  引き出し部
５    リング
８    面ファスナ
８ａ  フック部
８ｂ  ループ部
Ｄ１  最大想定内径
Ｄ２  最小想定内径
Ｌ３  長さ
【図１】
2010279470.tif 000003
【図２】
2010279470.tif 000004
【図３】
2010279470.tif 000005
【図４】
2010279470.tif 000006